(57)【特許請求の範囲】
【請求項１】
合成樹脂等により形成された透光性基板（１１）の前面に、文字、目盛等を形どった透光表示部（１２）を除いて遮光層（１３）を施し、その遮光層（１３）及び透光表示部（１２）の前面に、透光性であって、明度の高い背景色である背景色層（１４）を施し、該背景色層（１４）の前面に、上記背景色層（１４）の明度に対してコントラストの高い色調の遮光性インクによって、上記透光表示部（１２）の前面対応位置に、透光表示部（１２）の輪郭形状よりも小なる相似形状の表面表示部（１５）を印刷し、さらに遮光層（１３）と背景色層（１４）との色調を近似させたことを特徴とする自動車用照明付き表示板。
【請求項２】
背景色層（１４）の前面に印刷した表面表示部（１５）の形状を上記透光表示部（１２）の輪郭形状と同形となすと共に、その表面表示部（１５）の印刷位置を透光表示部（１２）に対してその文字太さ又は目盛太さの範囲内で位置をずらしたことを特徴とする請求項１に記載の自動車用照明付き表示板。
【発明の詳細な説明】
【０００１】
【発明の属する技術分野】
本発明は、例えば昼等の明るい場所では反射光表示を行ない、夜間等の暗所では透過光表示を行なう計器、オーディオ、エアコン、ナンバープレート、エンブレム等の表示板であって、特に反射光表示時又は透過光表示時、さらには薄暮時におけるいずれの表示時においても表示性能を高めることができる自動車用照明付き表示板に関するものである。
【０００２】
【従来の技術】
昼間等の明所では反射光で表示させ、又夜間等の暗所では透過光で表示させる自動車用表示板の従来例として、例えば実公平６−４３８３１号で示される技術が知られている。この公知の表示板は、図６、図７で示すように、透光性基板１の前面に、文字、目盛等の表示部２を除いて遮光層３を設け、該遮光層３の前面と上記表示部２を埋めるようにして明度の低い色の半透光性の表示色層４を形成し、さらにその表示色層４の前面に、上記表示部２の輪郭（ａ）よりも大なる輪郭（ｂ）の表示部５を除いて明度の高い色による表面層６を設けた表示板７となっている。
【０００３】
そしてこの表示板にあっては、昼間等の明所では明度の高い表面層６と、明度の低い半透光性表示色層４の反射光によるコントラストで輪郭（ｂ）により表示部５が表示される。また夜間等の暗所では、上記表示板７の裏側に配設されている照明灯８を点灯すれば、表示色層４を透して表示部２に対応する輪郭（ａ）が透過照明されるものである。
【０００４】
また夕暮れ時（薄暮時）等の若干の反射光と照明灯による透過光とが略等しくて、表示部２のコントラストが小さいような周囲状況の場合においては、表示部２の輪郭（ａ）の周囲に形成された明度の低い半透光性表示色層４による周枠（ｃ）により表示部５の形状が鮮明に表示されるようになっている。
【０００５】
【発明が解決しようとする課題】
ところがこのような従来例の表示板７構成にあっては、夕暮れ時（薄暮時）の表示部５のコントラストを上げるために、表示輪郭（ａ）の周囲に、その輪郭（ａ）よりも大きい輪郭（ｂ）となる表示部５を形成しているために、例えば昼間の反射表示時においては、輪郭（ｂ）による表示形状となり、また夜間等の透過照明表示時においては、輪郭（ａ）による表示形状となって、昼間と夜間とでは表示部の表示太さ（輪郭）に違いが生じてしまう。つまり昼間の反射表示時では、表示の文字、目盛等の形状が太く見えてしまい、夜間の透過表示時では、その表示が細く見えてしまうことから、その表示が鈍重に見え、視認性が低下し、さらには表示デザインが悪くなって違和感を生じる等の不具合があった。
【０００６】
本発明はかかる従来の不具合に着目してなされたもので、反射表示時、又は透過照明表示時のいづれにおいても表示部の表示太さは一定に表示されるような表示面を構成して、表示部のスマートさと視認性を高め、さらには夕暮れ時等においても表示部のハイレベルの表示コントラストを維持せしめて、表示部の見やすさ確保できる計器、時計、エアコン、オーディオ等の表示板又はナンバープレート、エンブレム等として使用できる表示板の提供を目的としている。
【０００７】
【課題を解決するための手段】
上記目的を達成するために、本発明の請求項１では、合成樹脂等により形成された透光性基板（１１）の前面に、文字、目盛等を形どった透光表示部（１２）を除いて遮光層（１３）を施し、その遮光層（１３）及び透光表示部（１２）の前面に、透光性であって、明度の高い背景色である背景色層（１４）を施し、該背景色層（１４）の前面に、上記背景色層（１４）の明度に対してコントラストの高い色調の遮光性インクによって、上記透光表示部（１２）の前面対応位置に、透光表示部（１２）の輪郭形状よりも小なる相似形状の表面表示部（１５）を印刷し、さらに遮光層（１３）と背景色層（１４）との色調を近似させた自動車用照明付き表示板であることを特徴としている。
【０００８】
また本発明の請求項２では、請求項１に記載の背景色層の前面に印刷した表面表示部の形状を上記透光表示部の輪郭形状と同形となすと共に、その表面表示部の印刷位置を透光表示部に対してその文字太さ又は目盛太さの範囲内で位置をずらした自動車用照明付き表示板であることを特徴としている。
【００１０】
【発明の実施の形態】
以下に本発明の実施形態を図１乃至図５に基いて詳細に説明する。
【００１１】
先ずは本発明の第１の実施形態を図１乃至図４で示す計器表示板１０として説明すると、１１は透明又は半透明のポリカーボネートシートからなる透光性基板であって、この透光性基板１１の前面には、文字、目盛等を形どった透光表示部１２を除いて遮光層１３を形成している。この遮光層１３は、グレー、白等の遮光性塗料又はインク等を用いて、印刷手段で施してもよく、あるいはアルミ箔等遮光性シート（フィルム）をホットスタンプ手段により層成したものであってもよい。
【００１２】
１４は、上記遮光層１３の前面と、透光性表示部１２の前面に全体に施されている透光性の背景色層であって、この背景色層１４は、透光性の塗料又はインクによる塗装又は印刷手段によって、層成されている。またこの背景色層１４は透光性となしていることから、その背景色層１４を透して透光表示部１２周縁と遮光層１３との境界が見えやすくなるので、この境界を見にくくするために遮光層１３の色調と背景色層１４の色調を近似させることが望ましい。
【００１３】
１５は、上記背景色層１４の前面に、例えば印刷手段により施された表面表示部であって、この表面表示部１５は、上記背景色層１４の明度に対してコントラストの高い色調（例えば黒色）であり、しかも遮光性であるインクを用いて施されている。さらにこの表面表示部１５の形状輪郭（Ａ）は、上記透光表示部１２の形状輪郭（Ｂ）よりも小さい相似形状に設定されており、上記表面表示部１５は、透光表示部１２の前方で図２、図３で示すように重なり合うように配置される。
【００１４】
このように構成された表示板１０の作用について述べると、昼間等の周囲が明るい状態では、その表示板１０の表示面（前面）は反射照明となり、表示板１０における、例えば白色である背景色層１４と例えば黒色である表面表示部１５が反射表示される。このときの表面表示部１５は背景色層１４に対して高いコントラストが得られる。
【００１５】
夕暮れ時等において周囲が薄暮状態になると、背景色層１４の表面が灰色から黒色に見えるために、黒色である表面表示部１５とのコントラストが低下し、見えにくくなる。そこで表示板１０の背後に配置されている照明灯１６を点灯すると、その照明灯１６からの光は透光表示部１２を経て表示板１０の前面に透過される。このとき、透光表示部１２の輪郭（Ｂ）が表面表示部の輪郭（Ａ）よりも大きく形成されていて、表面表示部１５の周辺が透過表示部１２を透過した透過光で発光表示されることとなり、薄暮時でも表面表示部１５が高コントラストで表示される（図２参照）。
【００１６】
夜間等の周囲が暗い状態では、背景色層１４の表面が黒色に見えるが、このときは照明灯１６を点灯するために、上記薄暮時と同様に、表面表示部１５の周辺が透過表示部１２を透過した透過光で発光表示されることとなり、表面表示部１５の周縁が透過光により輪郭表示される。
【００１７】
このように上記の実施の形態によれば、昼間の反射表示時、薄暮時の反射表示及び透過表示併用時、夜間の透過表示時のいずれにおいても表面表示部１５の形態を変ることなく一定形状の表面表示部１５の形態（デザイン）で表示させることができ、また上記各時において表面表示部１５の表示コントラストを高めることができ視認性に優れた表示板の提供が可能となる。
【００１８】
なお上記実施形態の具体例として、表面表示部１５の文字太さは、約０．５〜１ｍｍとし、また表面表示部１５の輪郭と透光表示部の輪郭との間で生じる隙間幅は約１ｍｍとなることが望ましい。また遮光層１３及び表面表示部を黒色とし、背景色層１４をオレンジ色とした計器表示板の場合は、昼間はオレンジ色の背景に黒色の文字が表示され、夜間では表面表示部１５の周縁に形成される透光表示部１２がオレンジ色になり、その黒色表示部１５が読み易くなる。また上記遮光層１３による遮光効果を高めるために、透光性基板１１の表面で、しかもその遮光層１３に対応する位置に他の遮光層を設けるようにしてもよい。
【００１９】
図５は本発明の他の実施形態を示すものである。この実施形態にあっては、背景色層１４の前面に印刷表示する表面表示部１５の輪郭（Ａ）形状と、透光表示部１２の輪郭（Ｂ）形状とを等しく設定すると共に、その表面表示部１５の印刷位置を透光表示部１２に対して、その表示部の表示幅の範囲内で上下左右又は斜め方向へ位置をずらしたものである。このように透光表示部１２と表面表示部１５との位置関係を設定することにより、薄暮時、夜間時等において照明灯１６を点灯したとき、図５で示すように表面表示部１５を立体表示させることができる。
【００２０】
なお上記それぞれの実施形態では、表示板１０を計器表示板として説明したが、これに限られるものではなく、上記表示板１０を車両用エアコン、オーディオ、時計、エンブレム、ナンバープレート等が表示板に応用することができる。また上記遮光層１３と背景色層１４との色調を近似させることで、その背景色層１４を透して透光表示部１２周縁と遮光層１３との境界が見え難くなり、これにより反射表示時の表面表示部の視認性が高められる。
【００２１】
【発明の効果】
以上のように本発明の照明付き表示板によれば、昼間の反射照明時、夜間の透過照明時、薄暮時の反射照明時のいずれにおいても、コントラストの高い表面表示が可能であって、視認性に優れた表示板が得られる。また表示板の表面に施した表面表示部１５の形態は、反射表示時及び透過表示時のいずれにおいても変化することがなく、これによっても表示の見やすさ、あるいは表示品質が向上される。
【図面の簡単な説明】
【図１】本発明よりなる表示板の反射表示時を示した説明図。
【図２】本発明よりなる表示板の薄暮時における表示状態を示した説明図。
【図３】本発明よりなる表示板の透過表示時を示した説明図。
【図４】本発明よりなる表示板の実施形態を示した断面説明図。
【図５】本発明よりなる表示板の他の実施形態の表示説明図。
【図６】従来の表示板の要部断面図。
【図７】従来の表示板による表示面を示した説明図。
【符号の説明】
１０…計器表示板
１１…透光性基板
１２…透光表示部
１３…遮光層
１４…背景色層
１５…表面表示部
１６…照明灯
【図１】
0004035245.tif 000002
【図２】
0004035245.tif 000003
【図３】
0004035245.tif 000004
【図４】
0004035245.tif 000005
【図５】
0004035245.tif 000006
【図６】
0004035245.tif 000007
【図７】
0004035245.tif 000008